(57)【特許請求の範囲】
【請求項１】
上に位置する容器の支脚が、下に位置する容器のポケットに挿入されて、上に位置する容器が、下に位置する容器に嵌め込まれる、所謂、ネスティングされるとともに、上に位置する容器の支脚が、下に位置する容器のフランジに載置される、所謂、スタッキングされるように構成された嵌合容器において、前記嵌合容器のフランジの外周から内側に、前記嵌合容器に隣接するように配置されるボックス容器のフランジ幅と同じ幅のフランジを残すとともに、前記嵌合容器の残余のフランジに、前記ボックス容器の下駄部の厚さより、若干、深い深さを有する下方に凹んだ周状段部が形成されており、且つ、前記ポケットの下端からフランジの上面までの高さと、前記支脚の下面からポケットの下端までの高さとが、同じに高さに形成されているとともに、前記ポケットの底部に底部開口が形成されていることを特徴とする嵌合容器。
【請求項２】
ポケットに隣接した側壁には、底部開口に連続して、支脚の下面の略中央部に形成された寄せリブが挿入可能なスリットが形成されていることを特徴とする請求項１に記載の嵌合容器。
【発明の詳細な説明】
【０００１】
【発明の属する技術分野】
本発明は、空の容器を積み重ねる際には、上に位置する容器の略半分が、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされることが可能な嵌合容器に関するものである。
【０００２】
【従来の技術】
図１２及び図１３を用いて、従来の嵌合容器Ａについて説明する。
【０００３】
嵌合容器Ａは、底部１と、外側にやや傾斜した相対する長辺側の側壁２ａ、２ｂ（以下、単に、「傾斜長側壁」という。）と、同じく外側にやや傾斜した相対する短辺側の側壁２ｃ、２ｄ（以下、単に、「傾斜短側壁」という。）とから構成されている。３は、嵌合容器Ａの開口部を取り囲むように、傾斜長側壁２ａ、２ｂ及び傾斜短側壁２ｃ、２ｄの上端から外側水平方向に延設されたフランジ３である。４ａは、傾斜長側壁２ａ、２ｂ及び傾斜短側壁２ｃ、２ｄの中程に形成された中間水平リブであり、４ｂは、フランジ３と中間水平リブ４ａの間に形成された上部水平リブであり、４ｃは、フランジ３、中間水平リブ４ａ及び上部水平リブ４ｂを、適宜、連結する垂直リブである。
【０００４】
ｐ１は、フランジ３から底部１に向かって、傾斜長側壁２ａ、２ｂの一方の隅部寄りの内壁に形成された縦長の凹部からなるポケットであり、嵌合容器Ａの略半分の深さを有している。ｃ１は、ポケットｐ１と適当な間隙を置いて或いはポケットｐ１に隣接して、ポケットｐ１より、嵌合容器Ａの中央部寄りの傾斜長側壁２ａ、２ｂの外壁に形成された支脚であり、支脚ｃ１は、中間水平リブ４ａから底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称する。
【０００５】
ｃ２は、傾斜長側壁２ａ、２ｂのもう一方の隅部寄りの外壁に形成された、上述した支脚ｃ１より、幅広の支脚であり、支脚ｃ２は、中間水平リブ４ａから底部１付近まで延びるように形成されている。ｐ２は、支脚ｃ２と適当な間隙を置いて或いは支脚ｃ２に隣接して、支脚ｃ２より、嵌合容器Ａの中央部寄りの傾斜長側壁２ａ、２ｂの内壁に形成された縦長の凹部からなるポケットであり、嵌合容器Ａの略半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。
【０００６】
なお、支脚ｃ１、ｃ２の下面には、支脚ｃ１、ｃ２の幅間隔でもって、下方に突起ｃ１’、ｃ２’が延設されており、この突起ｃ１’、ｃ２’は、スタッキングの際に、下に位置する嵌合容器Ａ内に挿入され、上に位置する嵌合容器Ａの横移動を少なくするような機能を有するものであり、寄せリブと称されている。
【０００７】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【０００８】
上述した中間水平リブ４ａ等のリブは、必要に応じて、省略することができる。中間水平リブ４ａを省略した場合には、支脚ｃ１、ｃ２は、上部水平リブ４ｂの下面に達するまで、上方に延長することが好ましい。
【０００９】
また、ポケットｐ１、ｐ２の下面は、中間水平リブ４ａの下面と面一に形成されており、ポケットｐ１、ｐ２の下面からフランジ３の上面までの高さＨ１と、支脚ｃ１、ｃ２の下面からポケットｐ１、ｐ２の下面までの高さＨ２とは、同じに形成されている。
【００１０】
上述した幅広ポケット・支脚部Ｓ１は、相対する傾斜長側壁２ａ、２ｂの一方の隅部付近に、互いに対向して配置されており、また、相対する傾斜長側壁２ａ、２ｂのもう一方の隅部付近には、互いに対向するように、幅広支脚・ポケット部Ｓ２が配置されている。また、相対する傾斜短側壁２ｃ、２ｄのうち、傾斜長側壁２ａ、２ｂに配置された幅広ポケット・支脚部Ｓ１に近い方の傾斜短側壁２ｃの隅部付近には、幅広支脚・ポケット部Ｓ２が配置されており、また、傾斜長側壁２ａ、２ｂに配置された幅広支脚・ポケット部Ｓ２に近い方の傾斜短側壁２ｄの隅部付近には、幅広ポケット・支脚部Ｓ１が配置されている。なお、図１２及び図１３に示されているように、傾斜長側壁２ａ、２ｂ及び傾斜短側壁２ｃ、２ｄの両方に、幅広ポケット・支脚部Ｓ１及び幅広支脚・ポケット部Ｓ２を配設することなく、傾斜長側壁２ａ、２ｂのみ、或いは、傾斜短側壁２ｃ、２ｄにのみ、幅広ポケット・支脚部Ｓ１及び幅広支脚・ポケット部Ｓ２を配設することもできる。
【００１１】
下に位置する嵌合容器Ａと上に位置する嵌合容器Ａとが、同じ向きになるように、即ち、下に位置する嵌合容器Ａの幅広ポケット・支脚部Ｓ１の上方に、上に位置する嵌合容器Ａの幅広ポケット・支脚部Ｓ１が位置し、また、下に位置する嵌合容器Ａの幅広支脚・ポケット部Ｓ２の上方に、上に位置する嵌合容器Ａの幅広支脚・ポケット部Ｓ２が位置するように、嵌合容器Ａを積み重ねると、上に位置する嵌合容器Ａの合計８本の支脚ｃ１、ｃ２が、下に位置する嵌合容器Ａのフランジ３に載置されるので、下に位置する嵌合容器Ａの上に、上に位置する嵌合容器Ａがスタッキングされることになる。なお、スタッキングの際には、上に位置する嵌合容器Ａの支脚ｃ１、ｃ２の寄せリブｃ１’、ｃ２’が、下に位置する嵌合容器Ａ内に挿入され、上に位置する嵌合容器Ａの横移動を少なくするように構成されている。
【００１２】
また、スタッキング状態から、上に位置する嵌合容器Ａを、平面的に、１８０度回転させて、下に位置する嵌合容器Ａと上に位置する嵌合容器Ａとが、異なる向きになるように、即ち、下に位置する嵌合容器Ａの幅広ポケット・支脚部Ｓ１の上方に、上に位置する嵌合容器Ａの幅広支脚・ポケット部Ｓ２が位置し、また、下に位置する嵌合容器Ａの幅広支脚・ポケット部Ｓ２の上方に、上に位置する嵌合容器Ａの幅広ポケット・支脚部Ｓ１が位置するように配置すると、下に位置する嵌合容器Ａの幅広ポケット・支脚部Ｓ１の幅広のポケットｐ１に、上に位置する嵌合容器Ａの幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、それぞれ挿入されることになり、従って、上に位置する嵌合容器Ａの略半分が、下に位置する嵌合容器Ａの内部に嵌合されてネスティングされることになる。
【００１３】
なお、上述した、傾斜長側壁２ａ、２ｂ及び傾斜短側壁２ｃ、２ｄに配設された幅広ポケット・支脚部Ｓ１及び幅広支脚・ポケット部Ｓ２の配置は、上述した配置に限定されるものではなく、下に位置する嵌合容器Ａと上に位置する嵌合容器Ａとが、同じ向きに積み重ねられた際には、下に位置する嵌合容器Ａの開口部に形成されたフランジ上に、上に位置する嵌合容器Ａの支脚が載置されて、上に位置する嵌合容器Ａが、下に位置する嵌合容器Ａに嵌合されないように積み重ねられる、所謂、スタッキングされ、また、スタッキング状態から、上に位置する嵌合容器Ａを、平面的に、１８０度回転させることにより、上に位置する嵌合容器Ａの支脚が、下に位置する嵌合容器Ａのポケットに挿入されて、上に位置する嵌合容器Ａが、下に位置する嵌合容器Ａに嵌合される、所謂、ネスティングされるような配置であればどのような配置でもよい。
【００１４】
また、傾斜長側壁２ａ、２ｂが接近するように配置された２つの嵌合容器Ａの上に、嵌合容器Ａを、嵌合容器Ａの傾斜長側壁２ａ、２ｂが、下に位置する嵌合容器Ａの傾斜長側壁２ａ、２ｂと直交するように、換言すれば、嵌合容器Ａの傾斜長側壁２ａ、２ｂが、下に位置する嵌合容器Ａの傾斜短側壁２ｃ、２ｄに沿うように配置する、所謂、クロス積みする際に、下に位置する嵌合容器Ａのフランジ３上に、クロス積みされた嵌合容器Ａの底部１の底面が載置されないように、底部１には、下に位置する嵌合容器Ａのフランジ３が挿入される、フランジ３の幅ｗ１の略２倍程度の凹溝１ａが形成されており、クロス積みされる上に位置する嵌合容器Ａの底部１に形成された凹溝１ａに、下に位置する２つの嵌合容器Ａのフランジ３が挿入されて、クロス積みされた嵌合容器Ａの支脚ｃ１、ｃ２が、下に位置する嵌合容器Ａのフランジ３に載置されるよう構成されている。
【００１５】
また、図１４及び図１５に示されているように、底部１０と、略垂直な相対する長辺側の側壁２０ａ、２０ｂ（以下、単に、「垂直長側壁」という。）と、同じく垂直な相対する短辺側の側壁２０ｃ、２０ｄ（以下、単に、「垂直短側壁」という。）とから構成されているとともに、容器の開口部を取り囲むように、垂直長側壁２０ａ、２０ｂ及び垂直短側壁２０ｃ、２０ｄの上端から外側水平方向に延設されたフランジ３０を有する、所謂、ボックス容器Ｂが知られている。
【００１６】
このようなボックス容器Ｂの底部１０にも、上述した嵌合容器Ａと同様に、垂直長側壁２０ａ、２０ｂが接近するように配置された２つのボックス容器Ｂの上に、ボックス容器Ｂを、ボックス容器Ｂの垂直長側壁２０ａ、２０ｂが、下に位置するボックス容器Ｂの垂直長側壁２０ａ、２０ｂと直交するように配置する、所謂、クロス積みする際に、下に位置するボックス容器Ｂのフランジ３０上に、クロス積みされたボックス容器Ｂの底部１０の底面が載置されないように、底部１０には、下に位置するボックス容器Ｂのフランジ３０が挿入される、フランジ３０の幅ｗ１０の略２倍程度の凹溝１０ａが形成されている。通常は、図１５に示されているように、底部１０の裏面に、底部１０の周縁部１０ｂ及び凹溝１０ａを除いて、底部１０の裏面から下方に突出した下駄部１０ｃ、１０ｄを形成することにより、凹溝１０ａが形成されている。また、このような下駄部１０ｃ、１０ｄは、ボックス容器Ｂ同士を段積みする際に、下に位置するボックス容器Ｂの開口部に、上に位置するボックス容器Ｂの下駄部１０ｃ、１０ｄが嵌合され、上に位置するボックス容器Ｂの底部１０の周縁部１０ｂが、下に位置するボックス容器Ｂのフランジ３０に載置されるように構成されており、下に位置するボックス容器Ｂの開口部に、上に位置するボックス容器Ｂの下駄部１０ｃ、１０ｄが挿入されているので、上に位置するボックス容器Ｂの下に位置するボックス容器Ｂに対する水平方向の移動が制限され、安定した段積みができるように構成されている。なお、図１５には、下駄部１０ｃ、１０ｄが、周辺リブ１０ｃ’、１０ｄ’と、周辺リブ１０ｃ’、１０ｄ’内に縦横に走る縦横リブ１０ｃ”、１０ｄ”により構成されている例が示されている。
【００１７】
上述した嵌合容器Ａのフランジ３の幅ｗ１は、ボックス容器Ｂのフランジ３０の幅ｗ１０に比べて、広く形成されている。
【００１８】
ところで、上述した嵌合容器Ａ同士の段積みやクロス積み及びボックス容器Ｂ同士の段積みやクロス積みは、従来より行われているが、最近、嵌合容器Ａとボックス容器Ｂが、同じ作業現場で使用される機会が多くなり、嵌合容器Ａとボックス容器Ｂの段積みやクロス積みの必要性が高まっている。
【００１９】
【発明が解決しようとする課題】
図１６及び図１７に示されているように、フランジ３、３０の外周の大きさ及び容器の高さが同じ嵌合容器Ａとボックス容器Ｂとを、嵌合容器Ａの傾斜長側壁２ａ、２ｂとボックス容器Ｂの垂直長側壁２０ａ、２０ｂとが隣接するように配置するとともに、その上に、ボックス容器Ｂをクロス積みするような場合には、ボックス容器Ｂに形成されている２つの下駄部１０ｃ、１０ｄ間に形成される凹溝１０ａの幅は、下に位置する嵌合容器Ａのフランジ３の幅ｗ１とボックス容器Ｂのフランジ３０の幅ｗ１０とを足した幅（ｗ１＋ｗ１０）より、若干、大きくなくてはならず、また、嵌合容器Ａのフランジ３の幅ｗ１は、ボックス容器Ｂのフランジ３０の幅ｗ１０より広いので、ボックス容器Ｂに形成されている２つの下駄部１０ｃ、１０ｄのうち、嵌合容器Ａの開口部に嵌合される下駄部１０ｄの大きさ（面積）は、ボックス容器Ｂの開口部に嵌合される下駄部１０ｃより小さいことになる。即ち、ボックス容器Ｂの垂直短側壁２０ｃ、２０ｄに沿った下駄部１０ｃ、１０ｄの長さＬ１は同じであるが、下に位置する嵌合容器Ａの開口部に入り込む下駄部１０ｄの垂直長側壁２０ａ、２０ｂに沿った長さＬ２は、下に位置するボックス容器Ｂの開口部に入り込む下駄部１０ｃの垂直長側壁２０ａ、２０ｂに沿った長さＬ２’より、ボックス容器Ｂのフランジ３０の幅ｗ１０に対して、嵌合容器Ａのフランジ３の幅ｗ１の幅の広い分だけ短い。
【００２０】
上述したボックス容器Ｂと嵌合容器Ａは、スタッキング高さが同じ高さになるように形成されている。即ち、嵌合容器Ａのスタッキング高さＨｓは、支脚ｃ１、ｃ２の底面ｃ１”、ｃ２”からフランジ３の上面３ａまでの高さであり、ボックス容器Ｂのスタッキング高さＨｂは、底部１０の周縁部１０ｂからフランジ３０ａの上面３０ａまでの高さであり、嵌合容器Ａのスタッキング高さＨａとボックス容器Ｂのスタッキング高さＨｂとは同じに構成されている。このように構成することにより、複数の嵌合容器Ａがスタッキングされた嵌合容器群の全体の高さと、同じ個数の複数のボックス容器Ｂが段積みされたボックス容器群の全体の高さが同じになるので、並設された複数の嵌合容器Ａがスタッキングされた嵌合容器群と複数のボックス容器Ｂが段積みされたボックス容器群の上に、安定した状態で、嵌合容器Ａやボックス容器Ｂをクロス積みすることができる。
【００２１】
上述したように、スタッキング高さが同じ嵌合容器Ａとボックス容器Ｂの上に、ボックス容器Ｂをクロス積みする場合に、ボックス容器Ｂの下駄部１０ｃ、１０ｄの大きさが異なると、どちら側に嵌合容器Ａ或いはボックス容器Ｂが配置されているかを確認したうえでないと、ボックス容器Ｂをクロス積みすることができず、クロス積みの作業性が悪いという問題がある。
【００２２】
また、ネスティングされた嵌合容器Ａと、スタッキングされた嵌合容器Ａの上に、嵌合容器Ａ或いはボックス容器Ｂをクロス積みする際にも、以下のような問題がある。以下に、この問題を、図１８及び図１９を用いて説明する。なお、便宜的に、幅広のポケットｐ１及び幅狭のポケットｐ２には、単に、符号ｐが付されており、幅狭の支脚ｃ１及び幅広の支脚ｃ２には、単に、符号ｃが付されており、傾斜長側壁２ａ、２ｂ及び傾斜短側壁２ｃ、２ｄには、単に、符号２が付されている。
【００２３】
上述した従来の嵌合容器Ａにおいては、図１８（ａ）に示されているように、３つの嵌合容器Ａ１、Ａ２、Ａ３をネスティングした場合の全体の高さＨ３と、図１８（ｂ）に示されているように、２つの嵌合容器Ａ４、Ａ５をスタッキングした場合の全体の高さＨ４とは、一番下に位置する嵌合容器Ａ１のフランジ３と、一番上に位置する嵌合容器Ａ３の支脚ｃとにより挟持されている真ん中に位置する嵌合容器Ａ２のポケットｐの底部ｐ’の厚さｔ１分だけ、３つの嵌合容器Ａ１、Ａ２、Ａ３をネスティングした場合の全体の高さＨ３が、２つの嵌合容器Ａ４、Ａ５をスタッキングした場合の全体の高さＨ４に比べて高くなる。従って、図１９に示されているように、ネスティング状態の３つの嵌合容器Ａ１、Ａ２、Ａ３の傾斜長側壁２ａ、２ｂと、スタッキング状態の２つの嵌合容器Ａ４、Ａ５の傾斜長側壁２ａ、２ｂとが接近するように並設された一組の嵌合容器群の上に、例えば、嵌合容器Ａ６を、嵌合容器Ａ６の傾斜長側壁２ａ、２ｂが、下に位置する嵌合容器Ａ１、Ａ２、Ａ３、Ａ４、Ａ５の傾斜長側壁２ａ、２ｂと直交するように配置する、所謂、クロス積みすると、上に位置するクロス積みされた嵌合容器Ａ６が、がたつき、安定してクロス積みできない。
【００２４】
図２０及び図２１に示されているように、ネスティング状態の３つの嵌合容器Ａ１、Ａ２、Ａ３の傾斜長側壁２ａ、２ｂと、スタッキング状態（段積み状態）の２つのボックス容器Ｂ１、Ｂ２の垂直長側壁２０ａ、２０ｂとが接近するように並設された一組の嵌合容器群とボックス容器群の上に、例えば、ボックス容器Ｂ３を、ボックス容器Ｂ３の垂直長側壁２０ａ、２０ｂが、下に位置する嵌合容器Ａ１、Ａ２、Ａ３の傾斜長側壁２ａ、２ｂ及びボックス容器Ｂ１、Ｂ２の垂直長側壁２０ａ、２０ｂと直交するように配置してクロス積みすると、ネスティング状態の３つの嵌合容器Ａ１、Ａ２、Ａ３の全体の高さＨ３が、スタッキング状態の２つのボックス容器Ｂ１、Ｂ２の全体の高さＨ５の高さに比べ、真ん中に位置する嵌合容器Ａ２のポケットｐの底部ｐ’の厚さｔ１分だけ異なるので、上述したと同様に、上に位置するクロス積みされたボックス容器Ｂ３が、がたつき、安定してクロス積みできない。
【００２５】
本発明の目的は、上述した従来の嵌合容器が有する課題を解決し、スタッキング作業及びネスティング作業の作業性の向上した嵌合容器を提供することにある。
【００２６】
【課題を解決するための手段】
本発明は、上述した目的を達成するために、上に位置する容器の支脚が、下に位置する容器のポケットに挿入されて、上に位置する容器が、下に位置する容器に嵌め込まれる、所謂、ネスティングされるとともに、上に位置する容器の支脚が、下に位置する容器のフランジに載置される、所謂、スタッキングされるように構成された嵌合容器において、第１には、前記嵌合容器のフランジの外周から内側に、前記嵌合容器に隣接するように配置されるボックス容器のフランジ幅と同じ幅のフランジを残すとともに、前記嵌合容器の残余のフランジに、前記ボックス容器の下駄部の厚さより、若干、深い深さを有する下方に凹んだ周状段部を形成し、且つ、前記ポケットの下端からフランジの上面までの高さと、前記支脚の下面からポケットの下端までの高さとを、同じに高さに形成するとともに、前記ポケットの底部に底部開口を形成したものであり、第２には、ポケットに隣接した側壁には、底部開口に連続して、支脚の下面の略中央部に形成された寄せリブが挿入可能なスリットを形成したものである。
【００２７】
【実施例】
以下に、図１〜図１１を用いて、本発明の実施例について説明するが、本発明の趣旨を越えない限り何ら、本実施例に限定されるものではない。なお、以下においては、上述した従来の嵌合容器と異なる構成についてのみ説明し、従来の嵌合容器及びボックス容器と共通の構成については、その詳細な説明を省略するとともに、同一の符号を使用した。
【００２８】
本発明の実施例においては、上述した従来の嵌合容器Ａのポケットｐ１、ｐ２の底部ｐ１’、ｐ２’を、略全面に亘たって削除して、底無しとなるように、底部開口５が形成されている。
【００２９】
また、嵌合容器Ａのフランジ３の幅ｗ１が、ボックス容器のフランジ３０の幅ｗ１０の幅と同じになるように、嵌合容器Ａのフランジ３の外周から内側に、ボックス容器Ｂのフランジ３０の幅ｗ１０と同じ幅ｗ１’を残して、残余のフランジ３を、下方に凹んだ周状段部６としたものである。この周状段部６の深さｄ１は、ボックス容器Ｂの下駄部１０ｃ、１０ｄの厚さより、若干、深く形成されており、クロス積みされたボックス容器Ｂの下駄部１０ｃ、１０ｄが、周状段部６の底面６ａに接触しないように構成されている。
【００３０】
更に、上述した従来の嵌合容器Ａにおける支脚ｃ１、ｃ２の下面に、支脚ｃ１、ｃ２の幅間隔でもって形成された寄せリブｃ１’、ｃ２’に代えて、支脚ｃ１、ｃ２の下面の略中央部に、傾斜長側壁２ａ、２ｂ及び傾斜短側壁２ｃ、２ｄに対して垂直方向に延在する１つの寄せリブｃ１１、ｃ２１が形成されているとともに、底部開口５に隣接した傾斜長側壁２ａ、２ｂ及び傾斜短側壁２ｃ、２ｄの側壁には、底部開口５に連結した、上記の寄せリブｃ１１、ｃ２１が挿入可能なスリット７が形成されている。
【００３１】
以下に、上述したように、ポケットｐ１、ｐ２に、底部開口５及び該底部開口５に連結したスリット７が形成された嵌合容器Ａを、ネスティング或いはスタッキングした場合について、図５を用いて説明する。なお、便宜的に、幅広のポケットｐ１及び幅狭のポケットｐ２には、単に、符号ｐが付されており、幅狭の支脚ｃ１及び幅広の支脚ｃ２には、単に、符号ｃが付されており、傾斜長側壁２ａ、２ｂ及び傾斜短側壁２ｃ、２ｄには、単に、符号２は付されており、寄せリブｃ１１、ｃ２１には、単に、ｃ’が付されている。また、上述した従来の嵌合容器Ａと同様に、ポケットｐの下端ｐ”からフランジ３の上面３ａまでの高さＨ１と、支脚ｃの下面ｃ”からポケットｐの下端ｐ”までの高さＨ２とは、同じに高さに形成されている。なお、図４には、ポケットｐの下端ｐ”が、ｐ１”、ｐ２”として示されている。
【００３２】
本発明においては、図５（ａ）に示されているように、３つの嵌合容器Ａ１、Ａ２、Ａ３をネスティングした場合には、真ん中の嵌合容器Ａ２のポケットｐに、一番上の嵌合容器Ａ３の支脚ｃを挿入した際には、上述したように、ポケットｐの底部には底部開口５が形成されているので、図５（ａ）に示されているように、一番上の嵌合容器Ａ３の支脚ｃは、一番下に位置する嵌合容器Ａ１のフランジ３上に載置されることになり、従って、３つの嵌合容器Ａ１、Ａ２、Ａ３をネスティングした場合の全体の高さＨ３は、真ん中の嵌合容器Ａ２に関係なく、一番下に位置する嵌合容器Ａ１のフランジ３に、一番上の嵌合容器Ａ３の支脚ｃを載置したと同じであり、換言すれば、一番下に位置する嵌合容器Ａ１と一番上の嵌合容器Ａ３とをスタッキングしたのと同じである。また、図５（ｂ）に示されているように、２つの嵌合容器Ａ４、Ａ５をスタッキングした場合には、上に位置する嵌合容器Ａ４の支脚ｃは、下に位置する嵌合容器Ａ４のフランジ３に載置されるので、従って、３つの嵌合容器Ａ１、Ａ２、Ａ３をネスティングした場合の全体の高さＨ３と、２つの嵌合容器Ａ４、Ａ５をスタッキングした場合の全体の高さＨ４は同じになる。従って、嵌合容器Ａ１、Ａ２、Ａ３がネスティングされた嵌合容器群と、２つの嵌合容器Ａ４、Ａ５がスタッキングされた嵌合容器群の上に、安定した状態で、嵌合容器Ａ６をクロス積みすることができる。なお、公知のように、クロス積みした際に、下に位置する嵌合容器Ａ３、Ａ５のフランジ３上に、クロス積みされた嵌合容器Ａ６の底部１の底面が載置されないように、底部１には、下に位置する嵌合容器Ａ３、Ａ５のフランジ３が挿入される、フランジ３の幅ｗ１’の略２倍程度の凹溝１ａ’が形成されており、クロス積みされた嵌合容器Ａ６の支脚ｃが、下に位置する嵌合容器Ａ３、Ａ５のフランジ３に載置されるよう構成されている。
【００３３】
また、一番上の嵌合容器Ａ３の支脚ｃの寄せリブｃ’は、真ん中の嵌合容器Ａ２のスリット７内に位置するように構成されているので、一番上の嵌合容器Ａ３の支脚ｃの寄せリブｃ’が、真ん中の嵌合容器Ａ２の側壁２に当接して、一番上の嵌合容器Ａ３が持ち上がるようなことがなく、完全なネスティングが阻害されるようなことがない。
【００３４】
スリット７の幅は、上端部付近は、寄せリブｃ’の厚さｔ２より広く、下方に行くにしたがって狭く形成されており、スリット７の下端部付近においては、寄せリブｃ’の厚さｔ２と略同じ幅に形成されている。このように形成することにより、ネスティングの際に、寄せリブｃ’がスリット７に入りやすいとともに、ネスティング時には、寄せリブｃ’が、寄せリブｃ’の厚さｔ２と略同じ幅に形成されているスリット７の下端部付近に位置することにより、寄せリブｃ’の水平方向の移動が、スリット７により制限されるので、ネスティングされた嵌合容器Ａの水平方向の移動が抑制され、従って、安定したネスティングが実現できる。
【００３５】
本発明の特徴は、ポケットｐの下端ｐ”からフランジ３の上面３ａまでの高さＨ１と、支脚ｃの下面ｃ”（図４には、支脚ｃの下面ｃ”が、ｃ１”及びｃ２”として示されている。）からポケットｐの下端ｐ”までの高さＨ２とが、同じ高さに形成されているとともに、ポケットｐの底部に、底部開口５を形成したものである。このように構成することにより、下に位置する嵌合容器Ａ１にネスティングされた、上に位置する嵌合容器Ａ２のネスティング高さＨｎ、即ち、下に位置する嵌合容器Ａ１のフランジ３の上面３ａに載置された、上に位置する嵌合容器Ａ２のポケットｐの下面ｐ”からフランジ３の上面３ａまでの高さ（上述した高さＨ１と同じ）が、下に位置する嵌合容器Ａ４にスタッキングされた上に位置する嵌合容器Ａ５のスタッキング高さ、即ち、下に位置する嵌合容器Ａ４のフランジ３の上面３ａに載置された、上に位置する嵌合容器Ａ５の支脚ｃの下面ｃ”からフランジ３の上面３ａまでの高さＨｓの半分になる。
【００３６】
上述した実施例には、一方の嵌合容器群がネスティングされたものであり、もう一方の嵌合容器群がスタッキングされた例を用いて、その上に、嵌合容器Ａがクロス積みされる例が示されてるが、ネスティング高さＨｎが、スタッキング高さＨｓの半分になるように構成されているので、クロス積みされる嵌合容器Ａの下方に位置する一組の容器群が、ネスティング及びスタッキングの混合であっても、ネスティングとスタッキングの嵌合容器Ａの数を、適宜、調整することにより、クロス積みされる嵌合容器Ａの下方に位置する一組の容器群を、同じ高さに形成することができる。
【００３７】
また、本発明は、上述したように、一組の嵌合容器群の上に１つの嵌合容器Ａをクロス積みする場合に限らず、３以上の嵌合容器群の上に１つの嵌合容器Ａをクロス積みする場合や、３以上の嵌合容器群の上に２以上の嵌合容器Ａをクロス積みする場合にも適用することができる。
【００３８】
なお、上述した実施例においては、支脚ｃ１、ｃ２の下面ｃ１”、ｃ２”の略中央部に寄せリブｃ１１、ｃ２１を形成した例が示されているが、図１２に示されている従来の嵌合容器Ａのように、支脚ｃ１、ｃ２の幅間隔でもって突起（寄せリブ）ｃ１’、ｃ２’を形成することもできる。この場合には、突起（寄せリブ）ｃ１’、ｃ２’に対応して、スリット１１が２つ形成されることになる。或いは、２つのスリット１１に代えて、凹部を形成してもよい。
【００３９】
また、上述したように、本発明においても、ボックス容器Ｂと嵌合容器Ａは、スタッキング高さが同じ高さになるように形成されている。即ち、嵌合容器Ａのスタッキング高さＨｓは、支脚ｃ１、ｃ２の底面ｃ１”、ｃ２”からフランジ３の上面３ａまでの高さであり、ボックス容器Ｂのスタッキング高さＨｂは、底部１０の周縁部１０ｂからフランジ３０ａの上面３０ａまでの高さであり、嵌合容器Ａのスタッキング高さＨａとボックス容器Ｂのスタッキング高さＨｂとは同じに構成されている。従って、上述した図５（ａ）と同様の図７（ａ）に示されているように、３つの嵌合容器Ａ１、Ａ２、Ａ３をネスティングした場合の全体の高さは、上述したように、真ん中の嵌合容器Ａ２に関係なく、一番下に位置する嵌合容器Ａ１のフランジ３に、一番上の嵌合容器Ａ３の支脚ｃを載置したと同じであり、換言すれば、一番下に位置する嵌合容器Ａ１と一番上の嵌合容器Ａ３とをスタッキングしたのと同じであるので、図７（ｂ）に示されているように、２つのボックス容器Ｂ４、Ｂ５を段積みした場合には、その全体の高さは、３つの嵌合容器Ａ１、Ａ２、Ａ３をネスティングした場合の全体の高さ同じになる。従って、嵌合容器Ａ１、Ａ２、Ａ３がネスティングされた嵌合容器群と、２つのボックス容器Ｂ４、Ｂ５が段積みされたボックス容器群の上に、安定した状態で、ボックス容器Ｂ６や嵌合容器Ａをクロス積みすることができる。
【００４０】
また、本発明においては、上述したように、嵌合容器Ａのフランジ３の幅が、ボックス容器Ｂのフランジ３０の幅ｗ１０の幅と同じになるように、嵌合容器Ａのフランジ３の外周から内側に、ボックス容器Ｂのフランジ３０の幅ｗ１０と同じ幅ｗ１’を残して、残余のフランジ３を、下方に凹んだ周状段部６を形成したので、ボックス容器Ｂの底部１０に形成されている一対の下駄部１０ｃ、１０ｄの大きさを同じに形成することができる。即ち、本発明においては、下駄部１０ｃ、１０ｄの垂直短側壁２０ｃ、２０ｄに沿った長さＬ１も垂直長側壁２０ａ、２０ｂに沿った長さＬ２も、共に、同じになる。従って、図８に示されているように、ボックス容器Ｂ６の下方に、ボックス容器Ｂ５及び嵌合容器Ａ３が配置されている場合でも、どちら側に嵌合容器Ａ或いはボックス容器Ｂが配置されているかを確認することなくクロス積みすることができる。
【００４１】
【発明の効果】
本発明は、以上説明したような構成を有するので、以下に記載する効果を奏するものである。
【００４２】
嵌合容器のフランジに、ボックス容器のフランジ幅と同じ幅のフランジを残すとともに、残余のフランジを下方に凹んだ周状段部に形成したので、ボックス容器の下駄部の大きさを同じ大きさ形成することができ、従って、嵌合容器とボックス容器の上に、ボックス容器をクロス積みする場合に、どちら側に嵌合容器或いはボックス容器が配置されているかを確認することなく、ボックス容器をクロス積みすることができ、クロス積みの作業性が向上する。
【００４３】
クロス積みされる容器の下方に位置する嵌合容器が、ネスティングされたものか、スタッキングされたものか、或いは、ネスティングとスタッキングとの混合の場合でも、下方に位置する嵌合容器群の全体の高さを同じにすることができ、従って、クロス積みされた嵌合容器がぐらつくようなことがなく、安定した状態でクロス積みを行うことがきる。
【００４４】
ポケットに隣接した側壁には、底部開口に連続して、支脚の下面の略中央部に形成された寄せリブが挿入可能なスリットが形成されているので、ネスティングされた嵌合容器の水平方向の移動が抑制され、従って、安定したネスティングが実現できる。
【図面の簡単な説明】
【図１】図１は本発明の嵌合容器の斜視図である。
【図２】図２は本発明の嵌合容器の平面図である。
【図３】図３は本発明の嵌合容器の底部から見た斜視図である。
【図４】図４は本発明の嵌合容器の一部拡大斜視図である。
【図５】図５は本発明の３つの嵌合容器がネスティングされた状態と２つの嵌合容器がスタッキングされた状態を示す垂直断面図である。
【図６】図６はネスティングされた本発明の３つの嵌合容器とスタッキングされた本発明の２つ嵌合容器に本発明の嵌合容器をクロス積みした正面図である。
【図７】図７は本発明の３つの嵌合容器がネスティングされた状態と２つのボックス容器が段積みされた状態を示す垂直断面図である。
【図８】図８はネスティングされた本発明の３つの嵌合容器と段積みされた２つのボックス容器にボックス容器をクロス積みした正面図である。
【図９】図９は本発明の嵌合容器とボックス容器にボックス容器をクロス積みした垂直断面図である。
【図１０】図１０は図９の部分垂直断面図である。
【図１１】図１１はボックス容器の底部から見た斜視図である。
【図１２】図１２は従来の嵌合容器の斜視図である。
【図１３】図１３は従来の嵌合容器の平面図である。
【図１４】図１４はボックス容器の斜視図である。
【図１５】図１５はボックス容器の底部から見た斜視図である。
【図１６】図１６は従来の嵌合容器とボックス容器にボックス容器をクロス積みした垂直断面図である。
【図１７】図１７は図１６の部分垂直断面図である。
【図１８】図１８は従来の３つの嵌合容器がネスティングされた状態と２つの嵌合容器がスタッキングされた状態を示す垂直断面図である。
【図１９】図１９はネスティングされた従来の３つの嵌合容器とスタッキングされた従来の２つ嵌合容器に従来の嵌合容器をクロス積みした正面図である。
【図２０】図２０は従来の３つの嵌合容器がネスティングされた状態と２つのボックス容器が段積みされた状態を示す垂直断面図である。
【図２１】図２１はネスティングされた従来の３つの嵌合容器とスタッキングされた２つボックス容器にボックス容器をクロス積みした正面図である。
【符号の説明】
Ａ・・・・・・・・嵌合容器
Ｂ・・・・・・・・ボックス容器
Ｓ１・・・・・・・幅広ポケット・支脚部
Ｓ２・・・・・・・幅広支脚・ポケット部
ｃ１、ｃ２・・・・支脚
ｐ１、ｐ２・・・・ポケット
１・・・・・・・・底部
２ａ、２ｂ・・・・傾斜長側壁
２ｃ、２ｄ・・・・傾斜短側壁
３・・・・・・・・フランジ
５・・・・・・・底部開口
７・・・・・・・スリット
【図１】
0003923231.tif 000002
【図２】
0003923231.tif 000003
【図３】
0003923231.tif 000004
【図４】
0003923231.tif 000005
【図５】
0003923231.tif 000006
【図６】
0003923231.tif 000007
【図７】
0003923231.tif 000008
【図８】
0003923231.tif 000009
【図９】
0003923231.tif 000010
【図１０】
0003923231.tif 000011
【図１１】
0003923231.tif 000012
【図１２】
0003923231.tif 000013
【図１３】
0003923231.tif 000014
【図１４】
0003923231.tif 000015
【図１５】
0003923231.tif 000016
【図１６】
0003923231.tif 000017
【図１７】
0003923231.tif 000018
【図１８】
0003923231.tif 000019
【図１９】
0003923231.tif 000020
【図２０】
0003923231.tif 000021
【図２１】
0003923231.tif 000022